(57)【要約】  【課題】火災の発生を家人に対して警報音および照明器具の光によって知らせることができ、しかも、照明器具のデザイン上の制約が少なく且つ施工が容易な照明制御システムを提供する。  【解決手段】火災警報器２は、照明器具１へ火災の発生を報知するワイヤレス信号からなるリモコン信号を送信するリモコン信号送信部２３と、火災感知部２１により火災が感知されたときに警報出力部２２から警報音を出力させるとともにリモコン信号送信部２３からリモコン信号を送信させる第１の制御部２４とを有し、照明器具１は、照明負荷および照明負荷を点灯させる点灯装置を具備する照明点灯部１１と、リモコン信号を受信するリモコン信号受信部１２と、リモコン信号受信部１２にて受信したリモコン信号に基づいて照明負荷の点灯状態を切り替える第２の制御部１４とを有する。【選択図】      図１
2006277140.tif 000002
【特許請求の範囲】
【請求項１】
照明器具と、照明器具とは別体であり天井面に取り付けられる火災警報器とを備え、火災警報器は、火災発生時に火災を感知する火災感知部と、警報音を出力する警報出力部と、照明器具へ火災の発生を報知するワイヤレス信号からなるリモコン信号を送信するリモコン信号送信部と、火災感知部により火災が感知されたときに警報出力部から警報音を出力させるとともにリモコン信号送信部からリモコン信号を送信させる第１の制御部とを有し、照明器具は、照明負荷と、リモコン信号を受信するリモコン信号受信部と、リモコン信号受信部にて受信したリモコン信号に基づいて照明負荷の点灯状態を切り替える第２の制御部とを有することを特徴とする照明制御システム。
【請求項２】
照明器具と、照明器具とは別体であり壁面における天井面近傍に取り付けられる火災警報器とを備え、火災警報器は、火災発生時に火災を感知する火災感知部と、警報音を出力する警報出力部と、照明器具へ火災の発生を報知するワイヤレス信号からなるリモコン信号を送信するリモコン信号送信部と、火災感知部により火災が感知されたときに警報出力部から警報音を出力させるとともにリモコン信号送信部からリモコン信号を送信させる第１の制御部とを有し、照明器具は、照明負荷と、リモコン信号を受信するリモコン信号受信部と、リモコン信号受信部にて受信したリモコン信号に基づいて照明負荷の点灯状態を切り替える第２の制御部とを有することを特徴とする照明制御システム。
【請求項３】
照明器具は、天井面に対向する形で天井面に取り付けられ下面側に照明負荷およびリモコン信号受信部が配置される器具本体と、照明負荷およびリモコン信号受信部を覆うように器具本体に取り付けられるドーム状のカバーとを備え、カバーは、リモコン信号を透過する材料により形成されてなることを特徴とする請求項１または請求項２記載の照明制御システム。
【請求項４】
カバーの一部がリモコン信号の入射方向と直交するように形成されてなることを特徴とする請求項３記載の照明制御システム。
【請求項５】
照明器具は、音声を出力する音声出力部を備え、第２の制御部は、リモコン信号受信部にて受信した火災警報器からのリモコン信号に基づいて火災発生報知用の音声ガイダンスを音声出力部から出力させることを特徴とする請求項１ないし請求項４のいずれかに記載の照明制御システム。
【請求項６】
火災警報器と照明器具との組を複数備えるとともに、各火災警報器が火災警報器間で電波信号を送受波する電波送受信部を有し、火災警報器の第１の制御部は、火災感知部により火災が感知されたときに電波送受信部から火災の発生を報知する電波信号を送信させる機能と、他の火災警報器から送信された電波信号が電波送受信部にて受信されたときにリモコン信号送信部から組をなす照明器具へ火災の発生を報知するリモコン信号を送信させる機能とを有することを特徴とする請求項１ないし請求項５のいずれかに記載の照明制御システム。
【請求項７】
火災警報器の第１の制御部は、電波送受信部から送信する電波信号に当該火災警報器の識別信号を含ませるようにする一方、他の火災警報器から送信された電波信号が電波送受信部にて受信されたときに当該電波信号に含まれている識別情報から当該電波信号の送信元の火災警報器を識別し、リモコン信号送信部から組をなす照明器具へ送信するリモコン信号に前記送信元の火災警報器の設置場所に関連した固有情報を含ませるようにし、照明器具は、音声を出力する音声出力部を備え、第２の制御部は、リモコン信号受信部にて受信したリモコン信号に含まれている固有情報から火災を感知した火災警報器の設置場所を知らしめる音声ガイダンスを音声出力部から出力させることを特徴とする請求項６記載の照明制御システム。
【発明の詳細な説明】
【技術分野】
【０００１】
本発明は、火災警報器と照明器具とを連動させる照明制御システムに関するものである。
【背景技術】
【０００２】
従来から、住宅などにおいて天井面や壁面に取り付けられる火災警報器として、火災発生を感知したときに警報音を発するブザーを備えたものが提供されている。
【０００３】
しかしながら、上述の火災警報器は、家人に対して警報音のみにより火災の発生を知らせるものなので、火災が発生したことを高齢者や聴覚障害者に対して確実に知らせることができないことがあるという課題や、就寝時のように室内の照明器具を消灯して暗がりの中に居る家人にとっては警報音を聞いても避難しにくいという課題などがあった。
【０００４】
そこで、火災警報器を照明器具に一体化し火災発生時に照明器具を点灯させるように構成することも考えられるが、照明器具の外観が損なわれないように照明器具のデザイン上の制約が多くなってしまうという不具合や、専用の商品となって低コスト化が難しくなってしまうという不具合があった。
【０００５】
これに対して、火災警報器と照明器具とを連動させる照明制御システムとして、火災警報器からの火災感知信号が信号線を介して照明器具に入力されたときに照明器具の照明負荷の光出力を変化させるものが提案されている（例えば、特許文献１参照）。
【特許文献１】特開２００３−６８４８２号公報
【発明の開示】
【発明が解決しようとする課題】
【０００６】
しかしながら、上記特許文献１に開示された照明制御システムでは、火災警報器および照明器具それぞれに火災警報器と照明器具とを連動させるための信号を伝送するための信号線を接続する接続部を設けておき、火災警報器と照明器具との間を信号線を介して接続する必要があるので、施工に手間がかかるという不具合があった。
【０００７】
本発明は上記事由に鑑みて為されたものであり、その目的は、火災の発生を家人に対して警報音および照明器具の光によって知らせることができ、しかも、照明器具のデザイン上の制約が少なく且つ施工が容易な照明制御システムを提供することにある。
【課題を解決するための手段】
【０００８】
請求項１の発明は、照明器具と、照明器具とは別体であり天井面に取り付けられる火災警報器とを備え、火災警報器は、火災発生時に火災を感知する火災感知部と、警報音を出力する警報出力部と、照明器具へ火災の発生を報知するワイヤレス信号からなるリモコン信号を送信するリモコン信号送信部と、火災感知部により火災が感知されたときに警報出力部から警報音を出力させるとともにリモコン信号送信部からリモコン信号を送信させる第１の制御部とを有し、照明器具は、照明負荷と、リモコン信号を受信するリモコン信号受信部と、リモコン信号受信部にて受信したリモコン信号に基づいて照明負荷の点灯状態を切り替える第２の制御部とを有することを特徴とする。
【０００９】
この発明によれば、天井面に取り付けられた火災警報器にて火災が感知されると、火災警報器の警報出力部から警報音が出力されるとともに、照明器具の照明負荷の点灯状態が切り替わるので、火災の発生を家人に対して警報音および照明器具の点灯状態の変化によって知らせることができ、また、照明器具と火災警報器とが別体であり照明器具は火災警報器から送信されたリモコン信号に基づいて照明負荷の点灯状態を切り替えるので、照明器具のデザイン上の制約が少なく且つ施工が容易になる。
【００１０】
請求項２の発明は、照明器具と、照明器具とは別体であり壁面における天井面近傍に取り付けられる火災警報器とを備え、火災警報器は、火災発生時に火災を感知する火災感知部と、警報音を出力する警報出力部と、照明器具へ火災の発生を報知するワイヤレス信号からなるリモコン信号を送信するリモコン信号送信部と、火災感知部により火災が感知されたときに警報出力部から警報音を出力させるとともにリモコン信号送信部からリモコン信号を送信させる第１の制御部とを有し、照明器具は、照明負荷と、リモコン信号を受信するリモコン信号受信部と、リモコン信号受信部にて受信したリモコン信号に基づいて照明負荷の点灯状態を切り替える第２の制御部とを有することを特徴とする。
【００１１】
この発明によれば、壁面における天井面近傍に取り付けられた火災警報器にて火災が感知されると、火災警報器の警報出力部から警報音が出力されるとともに、照明器具の照明負荷の点灯状態が切り替わるので、火災の発生を家人に対して警報音および照明器具の点灯状態の変化によって知らせることができ、また、照明器具と火災警報器とが別体であり照明器具は火災警報器から送信されたリモコン信号に基づいて照明負荷の点灯状態を切り替えるので、照明器具のデザイン上の制約が少なく且つ施工が容易になる。
【００１２】
請求項３の発明は、請求項１または請求項２の発明において、照明器具は、天井面に対向する形で天井面に取り付けられ下面側に照明負荷およびリモコン信号受信部が配置される器具本体と、照明負荷およびリモコン信号受信部を覆うように器具本体に取り付けられるドーム状のカバーとを備え、カバーは、リモコン信号を透過する材料により形成されてなることを特徴とする。
【００１３】
この発明によれば、カバーを通過したリモコン信号はリモコン信号受信部に直接到達しなくてもカバーの内面で反射されてリモコン信号受信部に到達することが可能となるので、リモコン信号がリモコン信号受信部により確実に到達することとなり、火災発生時に火災警報器と照明器具とをより確実に連動させることができる。
【００１４】
請求項４の発明は、請求項３の発明において、カバーの一部がリモコン信号の入射方向と直交するように形成されてなることを特徴とする。
【００１５】
この発明によれば、リモコン信号がカバーを通過する際の信号強度の減衰量を少なくすることができる。
【００１６】
請求項５の発明は、請求項１ないし請求項４の発明において、照明器具は、音声を出力する音声出力部を備え、第２の制御部は、リモコン信号受信部にて受信した火災警報器からのリモコン信号に基づいて火災発生報知用の音声ガイダンスを音声出力部から出力させることを特徴とする。
【００１７】
この発明によれば、火災警報器の火災感知部により火災が感知された場合には、照明器具の音声出力部から火災発生報知用の音声ガイダンスが出力されるので、火災の発生を家人に対してより確実に知らせることができる。
【００１８】
請求項６の発明は、請求項１ないし請求項５の発明において、火災警報器と照明器具との組を複数備えるとともに、各火災警報器が火災警報器間で電波信号を送受波する電波送受信部を有し、火災警報器の第１の制御部は、火災感知部により火災が感知されたときに電波送受信部から火災の発生を報知する電波信号を送信させる機能と、他の火災警報器から送信された電波信号が電波送受信部にて受信されたときにリモコン信号送信部から組をなす照明器具へ火災の発生を報知するリモコン信号を送信させる機能とを有することを特徴とする。
【００１９】
この発明によれば、住宅の複数の設置場所（各居室、台所、階段など）に火災警報器と照明器具との組を設置しておくことによって、火災が発生したときに火災を感知した火災警報器と当該火災警報器の組の照明器具とにより火災の発生を知らせるだけでなく、他の設置場所の火災警報器と照明器具との組でも火災の発生を知らせるので、家人の居る場所とは別の場所で火災が発生した場合でも、家人の居る場所に設置された火災警報器の警報音と照明器具の点灯状態の変化とで火災の発生を家人に知らせることが可能となる。したがって、例えば、家人にとっては、就寝時などに他の場所で火災が発生したときでも、より安全に避難することが可能となる。
【００２０】
請求項７の発明は、請求項６の発明において、火災警報器の第１の制御部は、電波送受信部から送信する電波信号に当該火災警報器の識別信号を含ませるようにする一方、他の火災警報器から送信された電波信号が電波送受信部にて受信されたときに当該電波信号に含まれている識別情報から当該電波信号の送信元の火災警報器を識別し、リモコン信号送信部から組をなす照明器具へ送信するリモコン信号に前記送信元の火災警報器の設置場所に関連した固有情報を含ませるようにし、照明器具は、音声を出力する音声出力部を備え、第２の制御部は、リモコン信号受信部にて受信したリモコン信号に含まれている固有情報から火災を感知した火災警報器の設置場所を知らしめる音声ガイダンスを音声出力部から出力させることを特徴とする。
【００２１】
この発明によれば、火災を感知した火災警報器の設置場所とは別の場所に居る家人に対して、火災の発生だけでなく火災の発生場所を音声ガイダンスにより知らせることができるので、家人が迅速に火災の発生場所の確認を行うことが可能になるとともに、より安全に避難することが可能となる。
【発明の効果】
【００２２】
請求項１、２の発明では、火災の発生を家人に対して警報音および照明器具の点灯状態の変化によって知らせることができ、また、照明器具のデザイン上の制約が少なく且つ施工が容易になるという効果がある。
【発明を実施するための最良の形態】
【００２３】
（実施形態１）
本実施形態の照明制御システムは、図１に示すように、照明器具１と、火災発生時に火災を感知すると警報音を発報するとともに赤外線を媒体とするワイヤレス信号からなるリモコン信号を用いて照明器具１へ火災の発生を報知する火災警報器２とを備えている。ここにおいて、照明器具１および火災警報器２は、図２（ａ）に示すように、住宅などの天井面Ｘに取り付けられる。なお、照明器具１は、引掛シーシング（図示せず）などを介して天井面Ｘに取り付けられる。また、火災警報器２は、施工面である天井面Ｘから器体２０（図２（ａ），（ｂ）参照）が露出した形で設置する露出型のものであるが、施工面に器体２０の一部を埋め込んだ形で設置する埋込型のものでもよい。
【００２４】
火災警報器２は、火災発生時に火災の煙もしくは熱により火災を感知する火災感知部２１と、警報音（例えば、「ピーピー…」という音）を出力するブザーからなる警報出力部２２と、照明器具１へ火災の発生を報知するワイヤレス信号からなるリモコン信号を送信するリモコン信号送信部２３と、火災感知部２１により火災が感知されたときに警報出力部２２から警報音を出力させるとともにリモコン信号送信部２３からリモコン信号を送信させる制御部（以下、第１の制御部と称す）２４とを有している。ここにおいて、火災感知部２１は、火災の煙を感知する煙感知式のものでもよいし、熱を感知する熱感知式のものでもよい。なお、第１の制御部２４は、マイクロコンピュータを主構成としているが、商用電源からなる電源ＡＣの交流電圧を整流し安定化することにより内部回路へ直流電力を供給する電源回路も設けられている。ここに、火災警報器２としては、商用電源を電源として利用するものに限らず、電池を電源として内蔵するものでもよい。
【００２５】
一方、照明器具１は、蛍光灯（例えば、環形蛍光灯）からなる照明負荷１１ａ（図２参照）および照明負荷１１ａを点灯させるインバータ回路からなる点灯装置（図示せず）を含み点灯装置へ与えられる負荷制御信号に基づいて照明負荷１１ａの点灯状態を切り替える照明点灯部１１と、リモコン装置（図示せず）からの赤外線を媒体とするワイヤレス信号よりなるリモコン信号および火災警報器２からのリモコン信号を受信するリモコン信号受信部１２と、音声を出力するスピーカからなる音声出力部１３と、リモコン信号受信部１２にて受信したリモコン信号に基づいた負荷制御信号を照明点灯部１１へ与える機能および予め登録されている音声メッセージや音声ガイダンスを適宜のタイミングで音声出力部１３から出力させる機能を有する制御部（以下、第２の制御部と称す）１４とを備えている。なお、第２の制御部１４は、マイクロコンピュータを主構成としているが、商用電源からなる電源ＡＣの交流電圧を整流し安定化することにより内部回路へ直流電力を供給する電源回路も設けられている。
【００２６】
ここにおいて、照明器具１は、火災警報器２と連動させなくても上記リモコン装置や所謂壁スイッチなどの操作により点灯状態を切り換えることができるものなので、火災警報器２と連動させずに使用する場合の照明器具１の基本的な動作について説明してから、火災警報器２と連動させる場合の動作について説明する。
【００２７】
上記リモコン装置から制御内容として照明負荷１１ａの定格点灯を指示するリモコン信号が送信されてリモコン信号受信部１２にて受信されると、第２の制御部１４は照明負荷１１ａを定格点灯させるための負荷制御信号を照明点灯部１１へ与えるので、照明負荷１１ａが定格点灯され、上記リモコン装置から制御内容として照明負荷１１ａの調光点灯を指示するリモコン信号が送信されてリモコン信号受信部１２にて受信されると、第２の制御部１４は照明負荷１１ａを調光点灯させるための負荷制御信号を照明点灯部１１へ与えるので、照明負荷１１ａが調光点灯され、上記リモコン装置から制御内容として照明負荷１１ａの消灯を指示するリモコン信号が送信されてリモコン信号受信部１２にて受信されると、第２の制御部１４は照明負荷１１ａを消灯させるための負荷制御信号を照明点灯部１１へ与えるので、照明負荷１１ａが消灯される。なお、上述の点灯装置において照明負荷１１ａの光出力を変化させる制御を行う場合には、例えばインバータ回路に含まれるスイッチング素子のオンオフの期間をＰＷＭ制御方式で制御する構成を採用すればよい。
【００２８】
また、第２の制御部１４は、蛍光灯からなる照明負荷１１ａの積算点灯時間を求める積算手段を備えており、積算手段にて求められた積算点灯時間が照明負荷１１ａの定格寿命に達すると、家人に照明負荷１１ａが交換時期にあることを知らせる音声メッセージ、例えば「蛍光灯の明るさが低下してきました。お取り替えをおすすめします。」というような音声メッセージを音声出力部１３から出力させる。また、第２の制御部１４は、上記リモコン装置からのリモコン信号に基づいて照明点灯部１１を介して照明負荷１１ａを調光する度に定格点灯時に比べてどの程度の省エネになるかを示す省エネ度を知らせるような音声メッセージ、「例えば、約５０％の省エネです。」というような音声メッセージを音声出力部１３から出力させる。
【００２９】
次に、照明器具１を火災警報器２と連動させる場合の動作について説明する。
【００３０】
上述のように、火災警報器２の火災感知部２１により火災が感知されると、警報出力部２２から警報音を出力させるとともにリモコン信号送信部２３から照明器具１へ火災の発生を報知するリモコン信号が送信される。なお、リモコン信号送信部２３から照明器具１へ火災の発生を報知するリモコン信号において制御内容を点滅点灯としておくことにより照明器具１へ火災の発生を報知するようにしてもよい。
【００３１】
火災警報器２からのリモコン信号が照明器具１のリモコン信号受信部１２にて受信されると、第２の制御部１４は照明負荷１１ａの点灯状態が切り替わるように照明負荷１１ａを点滅点灯または定格出力で連続点灯させる負荷制御信号を照明点灯部１１へ与えて照明負荷１１ａの点灯状態を切り替えるとともに、音声出力部１３から火災の発生を知らせる音声ガイダンス（例えば、「火災警報器が作動しました。現場をご確認下さい。」など）を出力させる。通常時（火災警報器２からのリモコン信号を受信していない時）の照明器具１の点灯状態としては、照明負荷１１が消灯された状態、照明負荷１１ａが調光点灯された状態、照明負荷１１ａが定格点灯された状態などがあるが、第２の制御部１４は、火災警報器２からのリモコン信号がリモコン信号受信部１２にて受信された場合、照明負荷１１ａを点滅点灯または定格出力で定格点灯させる。要するに、本実施形態の照明制御システムでは、火災警報器２にて火災が感知された場合、火災警報器２から警報音が出力されるとともに、照明器具１の照明負荷１１ａの点灯状態が切り替わって点滅点灯または連続点灯することになるので、高齢者や聴覚障害者にとっても火災の発生を認識しやすくなり、また、火災発生時に周囲が暗くても照明負荷１１ａが点滅点灯あるいは連続点灯することにより周囲が明るくなるので、家人が安全に避難しやすくなる。
【００３２】
ところで、火災警報器２は、上述の器体２０内に、第１の制御部２４が収納されており、図３（ａ），（ｂ）に示すように、器体２０の下面側に火災感知部２１および警報出力部２２が配置されるととも、器体２０の側面にリモコン信号送信部２３が配置されており、リモコン信号送信部２３が照明器具１側を向くように器体２０が天井面Ｘに取り付けられる。一方、照明器具１は、図３（ａ）に示すように、天井面Ｘに対向する形で天井面Ｘに取り付けられる器具本体１０内に第２の制御部１４および照明点灯部１１における上記点灯装置が収納されており、器具本体１０の下面側に照明点灯部１１における照明負荷１１ａおよびリモコン信号受信部１２および音声出力部１３が配置されている。
【００３３】
家人が操作する上記リモコン装置から照明器具１へ送信されるリモコン信号および火災警報器２から照明器具１へ送信されるリモコン信号は、赤外線を伝送媒体としており、照明器具１は、リモコン信号受信部１２が火災警報器２のリモコン信号送信部１２よりも天井面Ｘから離れて位置するように配置される。
【００３４】
しかして、本実施形態の照明制御システムでは、天井面Ｘに取り付けられた火災警報器２の火災感知部２１にて火災が感知されると、火災警報器２の警報出力部２２から警報音が出力されるとともに、照明器具１の照明負荷１１ａの点灯状態が切り替わるので、火災の発生を家人に対して警報音および照明器具１の光によって知らせることができ、また、照明器具１と火災警報器２とが別体であり照明器具１は火災警報器２から送信されたリモコン信号に基づいて照明負荷１１ａを点灯させるので、照明器具１のデザイン上の制約が少なく且つ照明器具１と火災警報器２との間の配線が不要で施工が容易になる。また、本実施形態の照明制御システムでは、火災警報器２の火災感知部２１により火災が感知された場合には、照明器具１の音声出力部１３から火災発生報知用の音声ガイダンスが出力されるので、火災の発生を家人に対してより確実に知らせることができる。
【００３５】
また、火災警報器２のリモコン送信部２３が照明器具１のリモコン信号受信部１２よりも天井面Ｘに近い場合、リモコン信号受信部１２にリモコン信号が到達しにくくなる恐れがあるが、本実施形態における照明器具１は、図３に示すように、照明負荷１１ａおよびリモコン信号受信部２１を覆うように器具本体１０に取り付けられるドーム状のカバー１５を備えており、カバー１５がリモコン信号を透過する材料により形成されているので、火災警報器２のリモコン信号送信部２３から送出されカバー１５を通過したリモコン信号はリモコン信号受信部２１に直接到達しなくてもカバー１５で拡散されたりカバー１５の内面で反射されてリモコン信号受信部１２に到達することが可能となる（なお、図３（ｂ），（ｃ）中の一点鎖線の矢印は、リモコン信号送信部２３から送出されたリモコン信号の進行方向を示している）で、リモコン信号がリモコン信号受信部１２により確実に到達することとなり、火災発生時に火災警報器２と照明器具１とをより確実に連動させることができる。
【００３６】
なお、本実施形態では、火災警報器２から照明器具１へ送信するリモコン信号が赤外線を伝送媒体としてデータを伝送しているが、電波を伝送媒体としてデータを伝送するようにしてもよい。
【００３７】
（実施形態２）
本実施形態の照明制御システムの基本構成は実施形態１と同じであり、図４に示すように照明器具１におけるカバー１５の形状が相違するだけなので、実施形態１と同様の構成要素には同一の符号を付して説明を省略する。
【００３８】
図３に示した照明器具１におけるカバー１５は周部ほど天井面Ｘからの距離が小さくなるような形状に形成されているので、火災警報器２のリモコン信号送信部２３から送信されたリモコン信号がカバー１５に対して斜め方向から入射されることとなり、リモコン信号がカバー１５を通過する際の信号強度の減衰量が比較的多くなってしまう。すなわち、リモコン信号がカバー１５へ入射する角度が大きくなるほどカバー１５中を通過する距離が長くなってリモコン信号が減衰しやすくなる。
【００３９】
これに対して、本実施形態における照明器具１では、図４に示すように、カバー１５の周部（つまり、カバー１５の一部）１５ａがリモコン信号の入射方向と直交するように形成されている（なお、図４中の一点鎖線の矢印はリモコン信号の進行方向を示している）。ここに、カバー１５の周部１５ａがリモコン信号の入射方向と直交するように形成されているとしているが、カバー１５の周部１５ａはリモコン信号の入射方向と略直交していればよい。
【００４０】
しかして、本実施形態では、カバー１５の周部１５ａがリモコン信号の入射方向と直交するように形成されているので、実施形態１に比べて、リモコン信号がカバー１５を通過する際の信号強度の減衰量を少なくすることができ、結果的にリモコン信号の到達性能が向上することとなる。
【００４１】
（実施形態３）
本実施形態の照明制御システムの基本構成は実施形態１と略同じであり、図５に示すように、照明器具１とは別体の火災警報器２が壁面Ｙにおける天井面Ｘ近傍に取り付けられる点が相違するだけなので、実施形態１と同様の構成要素には同一の符号を付して説明を省略する。
【００４２】
本実施形態における火災警報器２は、器体２０を壁面Ｙに取り付けた状態において、器体２０の前面の中央部に火災感知部２１が位置し、前面の中央部よりも上側に警報出力部２２が位置し、前面の中央部よりも下側にリモコン信号送信部２３が位置するように構成されている。したがって、本実施形態の照明制御システムにおいては、照明器具１に対して斜め下方から火災警報器２のリモコン信号が送られてくることとなる。
【００４３】
ところで、本実施形態においても、図６に示すように照明器具１のカバー１５を当該カバー１５の周部１５ａがリモコン信号の入射方向と直交するように形成すれば、リモコン信号がカバー１５を通過する際の信号強度の減衰量を少なくすることができ、結果的にリモコン信号の到達性能が向上することとなる。
【００４４】
（実施形態４）
ところで、実施形態１〜３に説明した照明制御システムでは、住宅内において家人が居る場所とは比較的離れた別の場所で火災が発生すると、火災が発生したことが直ぐには分からないことがある。また、従来から、住宅内に設置する複数の火災警報器を信号線により接続し、火災が発生した場所の火災警報器だけでなく他の場所の火災警報器からも警報音を出力させるように構成された火災警報システムも知られているが、各火災警報器からは警報音のみしか出力されないので、住宅内のどの場所で火災が発生したのか分かりにくかった。
【００４５】
これに対して、本実施形態の照明制御システムの基本構成は実施形態１と略同じであって、図７に示すように、火災警報器２と照明器具１との組を複数備えている点などが相違する。ここにおいて、図７では、住宅内の台所に対応して設置した火災警報器２を２Ａ、台所に対応して設置した照明器具を１Ａ、リビングに対応して設置した火災警報器２を２Ｂ、リビングに対応して設置した照明器具１を１Ｂ、階段に対応して設置した火災警報器２を２Ｃ、階段に対応して設置した照明器具１を１Ｃ、寝室に対応して設置した火災警報器２を２Ｄ、寝室に対応して設置した照明器具を１Ｄとしてあり、同じ設置場所で近接して配置された火災警報器２と照明器具１とが組をなしている。
【００４６】
本実施形態における火災警報器２は、図８に示すように、火災警報器２間で電波信号を送受波する電波送受信部２５を有し、火災警報器２の第１の制御部２４が、火災感知部２１により火災が感知されたときに電波送受信部２５から火災の発生を報知する電波信号を送信させる機能と、他の火災警報器２から送信された電波信号が電波送受信部２５にて受信されたときにリモコン信号送信部２３から組をなす照明器具１へ実施形態１と同様に火災の発生を報知するリモコン信号を送信させる機能とを有している。
【００４７】
ここにおいて、火災警報器２の第１の制御部２４は、電波送受信部２５から送信する電波信号に当該火災警報器２の識別信号を含ませる（つまり、電波信号に識別信号と火災の発生を報知する報知信号とを含ませる）ようにする一方、他の火災警報器２から送信された電波信号が電波送受信部２５にて受信されたときに当該電波信号に含まれている識別情報から当該電波信号の送信元の火災警報器２を識別し、リモコン信号送信部２３から組をなす照明器具１へ送信するリモコン信号に送信元の火災警報器２の設置場所に関連した固有情報を含ませるようにしている。なお、上述の識別信号は、ビットパターンで送受信される電波信号の一部に含められ、上述の固有信号は、ビットパターンで送受信されるリモコン信号の一部に含められる。
【００４８】
一方、照明器具２における第２の制御部１４は、リモコン信号受信部１２にて受信したリモコン信号に含まれている固有情報の割り付けルールに従って火災警報器２の設置場所を知らしめる音声ガイダンスを音声出力部１３から出力させる。
【００４９】
したがって、火災警報器２の設定を取付場所（設置場所）により異ならせた場合に、例えば、台所に対応した火災警報器２（２Ａ）の電波送受信部２５から送信される電波信号をｓＡ、リビングに対応した火災警報器２（２Ｂ）の電波送受信部２５から送信される電波信号をｓＢ、階段に対応した火災警報器２（２Ｃ）の電波送受信部２５から送信される電波信号をｓＣ、寝室に対応した火災警報器２（２Ｄ）の電波送受信部２５から送信される電波信号をｓＤとすれば、各火災警報器２において他の火災警報器２からの電波信号を受信したときにリモコン信号送信部２３から送信させるリモコン信号および当該リモコン信号を受信した照明器具１の音声出力部２３から出力される音声ガイダンスは下記表１のようになる。
【００５０】
【表１】
2006277140.tif 000003
【００５１】
表１から分かるように本実施形態の照明制御システムでは、火災を感知した火災警報器２の設置場所の違いによって各照明器具１のリモコン信号受信部１２にて受信するリモコン信号が異なり、音声出力部１３から出力される音声ガイダンスが異なることとなる。
【００５２】
例えば、台所に対応して設置された火災警報器２Ａの火災感知部２１にて火災が感知された場合、火災警報器２Ａから照明器具１Ａにリモコン信号が送信されるとともに他の場所に設置された火災警報器２Ｂ〜２Ｄに電波信号が送信され、当該電波信号を受信した火災警報器２Ｂ〜２Ｄから組をなす照明器具１Ｂ〜１Ｄへリモコン信号が送信される。図９にはこのような場合の電波信号の流れを二点鎖線の矢印で示し、リモコン信号の流れ実線の矢印で示してある。ここにおいて、台所に対応して設置された火災警報器２Ａの火災感知部２１にて火災が感知されたときの各火災警報器２Ａ〜２Ｄの動作および各照明器具１Ａ〜１Ｄの動作をまとめると下記表２のようになる。
【００５３】
【表２】
2006277140.tif 000004
【００５４】
表２に示したように、台所に対応して設置した火災警報器２Ａ以外の火災警報器２Ｂ〜Ｄからも警報音が出力され、火災警報器２Ｂ〜２Ｄそれぞれと組をなす照明器具１Ｂ〜１Ｄからは火災の発生と発生場所を知らしめる音声ガイダンスが出力される。
【００５５】
しかして、本実施形態の照明制御システムでは、住宅の複数の設置場所（各居室、台所、階段など）に火災警報器２と照明器具１との組を設置しておくことによって、火災が発生したときに火災を感知した火災警報器２と当該火災警報器２の組の照明器具１とにより火災の発生を知らせるだけでなく、他の設置場所の火災警報器２と照明器具１との組でも火災の発生を知らせるので、家人の居る場所とは別の場所で火災が発生した場合でも、家人の居る場所に設置された火災警報器２の警報音と照明器具１の点灯状態の変化とで火災の発生を家人に知らせることが可能となる。したがって、例えば、家人にとっては、就寝時などに他の場所で火災が発生したときでも、より安全に避難することが可能となる。しかも、火災を感知した火災警報器２の設置場所とは別の場所に居る家人に対して、火災の発生だけでなく火災の発生場所を音声ガイダンスにより知らせることができるので、家人が迅速に火災の発生場所の確認を行うことが可能になるとともに、より安全に避難することが可能となる。
【図面の簡単な説明】
【００５６】
【図１】実施形態１を示す概略構成図である。
【図２】同上を示し、（ａ）は設置例の説明図、（ｂ）は火災警報器の概略斜視図である。
【図３】同上における照明器具を示し、（ａ）は概略斜視図、（ｂ）は一部破断した概略断面図、（ｃ）は要部拡大図である。
【図４】実施形態２の設置例の説明図である。
【図５】実施形態３を示し、（ａ）は設置例の説明図、（ｂ）は火災警報器の概略斜視図である。
【図６】同上の動作説明図である。
【図７】実施形態４の設置例の説明図である。
【図８】同上の概略構成図である。
【図９】同上の動作説明図である。
【符号の説明】
【００５７】
１  照明器具
２  火災警報器
１１  照明点灯部
１２  リモコン信号受信部
１３  音声出力部
１４  制御部（第２の制御部）
２１  火災感知部
２２  警報出力部
２３  リモコン信号送信部
２４  制御部（第１の制御部）
【図１】
2006277140.tif 000005
【図２】
2006277140.tif 000006
【図３】
2006277140.tif 000007
【図４】
2006277140.tif 000008
【図５】
2006277140.tif 000009
【図６】
2006277140.tif 000010
【図７】
2006277140.tif 000011
【図８】
2006277140.tif 000012
【図９】
2006277140.tif 000013